(57)【要約】【課題】  把手部材を壜胴後部の凹部内へインサート成形した大容量の把手付き合成樹脂壜において、壜に対する把手部材の組付けが確実となるよう設けた。【解決手段】  把手板11の左右両側から前方へ横向きＵ字形状に突出させた左右一対の脚板12の上下前方張出し部分の上面と下面とを、数段の階段状部15に形成した。【選択図】  図１
2006016037.tif 000002
【特許請求の範囲】
【請求項１】
把手板11の左右両側から、左右一対の横向きＵ字形状脚板12を前方へ張出し突出させて把手部材10となし、それ等一対の脚板12を、壜胴後部に形成された凹部４の壁面へインサート成形で埋設した把手付き合成樹脂壜において、
上記脚板12上下の前方張出し部分上面と下面を数段の階段状部15に形成した
ことを特徴とする把手付き合成樹脂壜。
【請求項２】
上記階段状部15を把手板11側は低く、脚板12前方側は高く形成した
ことを特徴とする、請求項１記載の把手付き合成樹脂壜。
【請求項３】
上記把手板11の上下両端に前向きフランジ13を付設してこれ等上下前向きフランジ両端の前面へ脚板12の上下両端を接続すると共に、それ等上下前向きフランジ13の上面および下面へ、後面を垂直面としかつ前面を前方への下降傾斜面とした係合突条14を付設した
ことを特徴とする、請求項１又は２記載の把手付き合成樹脂壜。
【発明の詳細な説明】
【技術分野】
【０００１】
本発明は、把手付き合成樹脂壜に関する。
【背景技術】
【０００２】
起立する長方形状把手板の左右両側から、横向きＵ字形状の脚板を左右一対として前方へ張出しさせた形状の把手部材を設けておき、それ等一対の脚板を、壜胴の後部に形成される凹部の外壁面へインサート成形で埋設した把手付き合成樹脂壜が知られている（特許文献１）。
【特許文献１】特開２０００−１６４３４号公報
【発明の開示】
【発明が解決しようとする課題】
【０００３】
上記のような合成樹脂壜は、容量の増大に伴って液体充填状態での重量が増大し、従って把手にかかる負担も増大して合成樹脂壜から外れ易く、よって壜と把手部材との連結を従来よりもより確実に行えるようにすることが必要である。
【０００４】
本発明はそのような目的を達成することが可能としたものである。
【課題を解決するための手段】
【０００５】
第１の手段として把手板11の左右両側から、左右一対の横向きＵ字形状脚板12を前方へ張出し突出させて把手部材10となし、それ等一対の脚板12を、壜胴後部に形成された凹部４の壁面へインサート成形で埋設した把手付き合成樹脂壜において、
上記脚板12上下の前方張出し部分上面と下面を数段の階段状部15に形成した。
【０００６】
第２の手段として、上記第１の手段を有すると共に上記階段状部15を把手板11側は低く、脚板12前方側は高く形成した。
【０００７】
第３の手段として、上記第１又は第２の手段を有すると共に上記把手板11の上下両端に前向きフランジ13を付設してこれ等上下前向きフランジ両端の前面へ脚板12の上下両端を接続すると共に、それ等上下前向きフランジ13の上面および下面へ、後面を垂直面としかつ前面を前方への下降傾斜面とした係合突条14を付設した。
【発明の効果】
【０００８】
請求項１記載のようにすることで、図から理解されるように把手板11の上下両端面と、両脚板間の把手板上下両部の前面と、両脚板の内面を除く外面と左右両側面と、係合突部の全面はすべてインサート成形により壜凹部の壁面へ覆われて埋設されることとなり、又誤って壜を落したような場合は、壜が圧縮されて凹部内の把手部材を後方へ押出す力が作用する筈であるが、本発明では脚板上下の前方張出し部分の上面と下面とを階段状部15に形成したから、それ等階段状部上下からの押圧力を把手部材圧縮の力に変えることが出来、よって上記把手部材押出しの力を減少することが出来る。
【０００９】
請求項２のようにすることで、上記請求項１記載の効果のほか、階段状部の各起立面が把手部材の後方抜出しを防ぐこととなり、壜凹部内への把手部材の固着力を高めることが出来る。
【００１０】
請求項３のようにすることで、上記請求項１又は２記載の効果のほか、把手板上下両端の両前向きフランジ13へ付設した係合突条14も、後面を垂直面とするから既述階段状部15の各起立面と同様に把手部材後方押出し力を阻止することとなる。
【発明を実施するための最良の形態】
【００１１】
まず図１から図３が示す第１実施形態について説明すると、１は二軸延伸させて形成した合成樹脂壜で胴部２上端から肩部を介して口頸部を起立し、該口頸部へキャップ３を螺合させている。
【００１２】
壜１の胴後部には図２が示すように後面および左右両側面開放の凹部４を形成しており、該凹部内には図３が示す把手部材10をインサート成形により嵌合させている。
【００１３】
該把手部材10は、起立させた長方形状把手板11の左右両側から、左右一対の横向きＵ字形状の脚板12を前方へ張出し突出させたもので、図示例では把手板の上下両端から前向きフランジ13を前方突出し、これ等上下前向きフランジ13の左右両端に脚板12の上下両端を接続させている。
【００１４】
上記上下前向きフランジ13の上面と下面とからは後面を垂直面としかつ前面を斜面とする断面三角形状の係合突条14を付設している。又脚板12上下の前方張出し部分の上面と下面とは数段の階段状部15に形成している。上方の階段状部は後方、つまり把手板側から前方へ一段宛下降するよう設け、又下方側の階段状部15は把手側から前方へ一段宛上昇する逆階段状に形成する。
【００１５】
又上記上下の階段状部前端やや下方ないし上方の脚板部分の対向面側にも係合突条16を縦設している。更に上記上下の両階段状部間の脚板部分へは、上下方向へ適宜間隙をおいて両脚板対向面側へ張出す拡径部17を設け、該拡径部の張出し部分へ複数の横溝18を上下間隙をおいて穿設している。
【００１６】
上記壜凹部４内への脚板12埋設状態において、上下前向きフランジの上面又は下面と前面、又階段状部15を含む各脚板の外面および左右側面はすべて壜凹部形成壁５で覆われ、よって把手部材10は壜１に対して確実に固定される。
【００１７】
図４、図５は第２実施形態を示すもので、該実施形態は既述階段状部15を、把手板側が低く、かつ脚板前方側を高く設けたものである。このようにすることで階段状部15の各起立面15a は後向きとなり、よって把手部材10が後方へ押出されようとしても、各起立面がその押出しを阻止することとなる。
【００１８】
尚第１実施形態と同一部分については同一符号を付することで説明を省略する。
【００１９】
壜凹部４内への脚部インサート成形により脚板外面、左右両側面等が凹部形成壁面で覆合されることについては第１実施形態の場合と同じである。
【図面の簡単な説明】
【００２０】
【図１】本発明壜を、一部を縦断面として示す側面図である。
【図２】図１壜を、一部を横断面として示す平面図である。
【図３】図１壜に使用している把手部材の斜視図である。
【図４】第２実施形態で示す本発明壜を、一部を縦断面として示す側面図である。
【図５】図４壜に使用している把手部材の斜視図である。
【符号の説明】
【００２１】
１  壜                              ４  凹部
５  凹部形成壁                      10  把手部材
12  脚板                            13  前向きフランジ
14  係合突条                        15  階段状部
16  係合突条                        17  拡径部
18  横溝
【図１】
2006016037.tif 000003
【図２】
2006016037.tif 000004
【図３】
2006016037.tif 000005
【図４】
2006016037.tif 000006
【図５】
2006016037.tif 000007